(57)【要約】    【課題】チャックにより封止及び開封自在な収納袋において、開封作業を簡単に出来るようにする。【解決手段】チャック付き収納袋はプラスチックフイルムからなる表袋面１０と裏袋面２０とで一体に形成されている。開口部３０の下方近傍にはチャック４０及び５０が僅かの間隔を隔てて上下二段に形成されている。表袋面開封部１１の開口端縁１２は波状に形成されており、すなわち、下に凸の円弧状部１２ａと上に凸の円弧状部１２ｂが連続して形成されている。裏袋面開封部２１の開口端縁２２は直線状に形成されており、その開口端縁２２は、下に凸の円弧状部１２ａの最下端と、上に凸の円弧状部１２ｂの最上端との間に位置するように形成されている。表袋面開封部１１の上の凸の円弧状部１２ｂの上部には、複数の突条からなる滑り止め６０が形成されるとともに、前記裏袋面開封部２１の開口端縁２２近傍にも複数の突条からなる滑り止め７０が形成されている。【選択図】図１
2018083649.tif 000002
【特許請求の範囲】
【請求項１】
少なくとも表袋面と裏袋面とを有し、上端に開口部が設けられた収納袋であって、該開口部の下方近傍に開閉自在なチャックが設けられたチャック付き収納袋において、該チャックが設けられた部位より開口部側に位置する表袋面の表袋面開封部と裏袋面の裏袋面開封部とが、チャックと平行方向において、互いに重ならない面が交互に存在するように形成されていることを特徴とするチャック付き収納袋。
【請求項２】
前記表袋面開封部及び裏袋面開封部の一方の開口端縁が、波状に形成されるとともに、前記表袋面開封部及び裏袋面開封部の他方の開口端縁が、該波状の上端と下端との中間において直線状に形成されていることを特徴とする請求項１記載のチャック付き収納袋。
【請求項３】
前記表袋面開封部と裏袋面開封部が波状に形成され、該表袋面開封部の上端と裏袋面開封部の下端とが水平方向において略同一位置に対応することを特徴とする請求項１記載のチャック付き収納袋。
【請求項４】
前記表袋面開封部及び裏袋面開封部の一方の開口端縁が、複数の連続する台形状に形成されるとともに、前記表袋面開封部及び裏袋面開封部の他方の開口端縁が、該台形状の上端と下端との中間において直線状に形成されていることを特徴とする請求項１記載のチャック付き収納袋。
【発明の詳細な説明】
【技術分野】
【０００１】
本発明は、開口部近傍にチャックが設けられた封止及び開封自在なチャック付き収納袋に関し、さらに詳しくは、簡単に開封できるようにしたチャック付き収納袋に関するものである。
【背景技術】
【０００２】
従来、食品、医薬品等の商品を密封保存するとともに、利用時に開封して取り出せるようにした収納袋としては、開口部近傍にチャックが設けられた収納袋が用いられている。このような収納袋に設けられるチャックは、凸状チャック部材と、この凸状チャック部材と嵌合する凹状チャック部材とからなり、凸状チャック部材を一方の袋面の内面に設けるととともに、凹状チャック部材を他方の袋面の内面に設け、これら凸状チャック部材と凹状チャック部材とを嵌合させることにより収納袋を封止するとともに、凸状チャック部材と凹状チャック部材との嵌合を解除することにより開封し、収納物を取り出せるようにしたものである。さらに、凸状チャック部材と凹状チャック部材とを嵌合させることにより、再度、残った収納物を密封保存できるものである。
【０００３】
以上のような収納袋において、凸状チャック部材と凹状チャック部材との嵌合を解除して開封するには、チャックが設けられた部位より開口部側に位置する両袋面を拡開した後、両袋面をそれぞれ親指と人差指とで把持し、凸状チャック部材と凹状チャック部材とを引き離す方向に引っ張ることにより嵌合を解除している。
【０００４】
しかしながら、以上のような収納袋においては、チャックより開口部側に位置する袋面の幅が小さいので、両袋面を拡開することが容易に出来るものでは無かった。そこで、両袋面の拡開を容易にする咬合具が提案されている（例えば、特許文献１参照）。
【０００５】
この咬合具は、帯状の基部と該基部に平行に突設された雄型咬合部を備える雄型部材と帯状の基部と該基部に平行に突設され、前記雄型咬合部と咬合する雌型咬合部を備える雌型部材とからなる合成樹脂製の咬合具であって、前記雄型部材ないし前記雌型部材の前記基部の前記雄型咬合部ないし前記雌型咬合部と同一面に前記雄型咬合部ないし前記雌型咬合部に平行に、かつ、前記雄型咬合部ないし前記雌型咬合部の突出高さより高く突出した板状突出部を備えていることを特徴としており、板状突出部により、雄型部材と雌型部材との基部間が常に拡開された状態としているものである。
【先行技術文献】
【特許文献】
【０００６】
【特許文献１】特開２００６−８１７４３号公報
【発明の概要】
【発明が解決しようとする課題】
【０００７】
しかしながら、上述した咬合具においては、板状突出部を形成しなければならないので、製造が面倒であり、かつコストが掛かるものであった。また、板状突出部により、雄型部材と雌型部材との基部間が常に拡開された状態となっているので、ちり、ほこり、液体等が雄型部材と雌型部材との咬合部にまで入り込み、その結果、開封時にちり、ほこり、液体等が袋内に入り込む恐れがあり、衛生的とは言えないものであった。
【０００８】
本発明は、以上の問題点を解決するためになされたもので、凸状チャック部材と凹状チャック部材との嵌合の解除を容易に出来るようにするとともに、容易かつ安価に製造することができ、また、衛生上も問題の無いチャック付き収納袋を提供することを目的とする。
【課題を解決するための手段】
【０００９】
本発明の請求項１に係るチャック付き収納袋は、少なくとも表袋面と裏袋面とを有し、上端に開口部が設けられた収納袋であって、該開口部の下方近傍に開閉自在なチャックが設けられたチャック付き収納袋において、該チャックが設けられた部位より開口部側に位置する表袋面の表袋面開封部と裏袋面の裏袋面開封部とが、チャックと平行方向において、互いに重ならない面が交互に存在するように形成されていることを特徴として構成されている。
【００１０】
本発明の請求項２に係るチャック付き収納袋は、表袋面開封部及び裏袋面開封部の一方の開口端縁が、波状に形成されるとともに、前記表袋面開封部及び裏袋面開封部の他方の開口端縁が、該波状の上端と下端との中間において直線状に形成されていることを特徴として構成されている。
【００１１】
本発明の請求項３に係るチャック付き収納袋は、表袋面開封部と裏袋面開封部が波状に形成され、該表袋面開封部の上端と裏袋面開封部の下端とが水平方向において略同一位置に対応することを特徴として構成されている。
【００１２】
本発明の請求項４に係るチャック付き収納袋は、表袋面開封部及び裏袋面開封部の一方の開口端縁が、台形状に形成されるとともに、前記表袋面開封部及び裏袋面開封部の他方の開口端縁が、該台形状の上端と下端との中間において直線状に形成されていることを特徴として構成されている。
【発明の効果】
【００１３】
本発明の請求項１に係るチャック付き収納袋においては、チャックが設けられた部位より開口部側に位置する表袋面の表袋面開封部と、チャックが設けられた部位より開口部側に位置する裏袋面の裏袋面開封部とが、チャックと平行方向において、互いに重ならない面が交互に存在するように形成されている。すなわち、両面が露出した状態（裏袋面開封部と重なっていない状態）の表袋面開封部と、同様に両面が露出した状態（表袋面開封部と重なっていない状態）の裏袋面開封部とが、交互に配列されているので、この重なっておらず両面が露出した表袋面開封部及び裏袋面開封部をそれぞれ両方の手の親指と人差指とで容易に把持することができる。したがって、表袋面開封部と裏袋面開封部とを、両手の親指と人差指で把持し、その状態で外側方向に引っ張るだけでチャックの嵌合を解除でき、極めて簡単に収納袋を開封することが出来る。
【００１４】
本発明の請求項２に係るチャック付き収納袋においては、表袋面開封部及び裏袋面開封部の一方の開口端縁が波状に形成されるとともに、表袋面開封部及び裏袋面開封部の他方の開口端縁が、該波状の上端と下端との中間において直線状に形成されているので、波状に形成された開封部の上方に凸の波状部分は、他方の開封部より突出して両面が露出した状態となったおり、また、直線状に形成された開封部の、波状に形成された開封部の下方に凸の波状部分に対応する部分は、重なっておらず露出した状態となっている。したがって、前記上方に凸の波状部分と、下方に凸の波状部分に対応する部分とを、それぞれ親指と人差指とで容易に把持することができ、極めて簡単に収納袋を開封することが出来る。
【００１５】
本発明の請求項３に係るチャック付き収納袋においては、表袋面開封部と裏袋面開封部が波状に形成され、該表袋面開封部の上端と裏袋面開部の下端とが水平方向において略同一位置に対応するようになっているので、一方の開封部の上方に凸の波状部分は、他方の開封部の下方に凸の波状部分と対向している。したがって、両開封部の上方に凸の波状部分は、重なっておらず露出した状態となっている。その結果、両開封部の上方に凸の波状部分を、それぞれ親指と人差指とで容易に把持することができ、極めて簡単に収納袋を開封することが出来る。
【００１６】
本発明の請求項４に係るチャック付き収納袋においては、表袋面開封部及び裏袋面開封部の一方の開口端縁が、複数の連続する台形状に形成されるとともに、前記表袋面開封部及び裏袋面開封部の他方の開口端縁が、該台形状の上端と下端との中間において直線状に形成されているので、台形状に形成された開封部の略上半分の部分は、他方の開封部の開口端縁より突出して両面が露出した状態となったおり、また、直線状に形成された開封部の台形状に形成されていない部分に対応する部分は、重なっておらず露出した状態となっている。したがって、前記台形状に形成された開封部の略上半分の部分と、直線状に形成された開封部の露出部分とを、それぞれ親指と人差指とで容易に把持することができ、極めて簡単に収納袋を開封することが出来る。
【図面の簡単な説明】
【００１７】
【図１】本発明によるチャック付き収納袋の表袋面側から見た一部切り欠いた図
【図２】本発明によるチャック付き収納袋の裏袋面側から見た一部切り欠いた図
【図３】本発明によるチャック付き収納袋の表袋面の内面の一部切り欠いた図
【図４】本発明によるチャック付き収納袋の裏袋面の内面の一部切り欠いた図
【図５】本発明によるチャック付き収納袋の表袋面側から見た一部切り欠いた図
【図６】本発明によるチャック付き収納袋の表袋面側から見た一部切り欠いた図
【発明を実施するための形態】
【００１８】
本発明によるチャック付き収納袋は、少なくとも表袋面と裏袋面とを有し、上端に開口部が設けられた収納袋であって、該開口部の下方近傍に開閉自在なチャックが設けられたチャック付き収納袋において、該チャックが設けられた部位より開口部側に位置する表袋面の表袋面開封部と裏袋面の裏袋面開封部とが、チャックと平行方向において、互いに重ならない面が交互に存在するように形成されている。上記チャックが設けられた部位より開口部側に位置する表袋面の表袋面開封部と裏袋面の裏袋面開封部とが、チャックと平行方向において、互いに重ならない面が交互に存在するように形成することにより、収納袋を容易に開封できるようにしている。すなわち、重なっていない（両面が露出している）表袋面開封部と裏袋面開封部とを、それぞれ親指と人差指とで容易に把持することが出来るので、外側方向（チャックに対して略直角方向）に引っ張ることにより、容易にチャックの嵌合を解除でき、開封することが出来る。
【００１９】
前記表袋面開封部と裏袋面の裏袋面開封部とが、チャックと平行方向において、互いに重ならない面が交互に存在するように形成するには、両開封部の開口端縁の形状を異ならせることにより、重なり具合を調整して行うことが出来る。例えば、表袋面開封部及び裏袋面開封部の一方の開口端縁を波状に形成するとともに、表袋面開封部及び裏袋面開封部の他方の開口端縁を波状の上端と下端との中間において直線状に形成したり、表袋面開封部と裏袋面開封部を波状に形成し、表袋面開封部の上端と裏袋面開封部の下端とが水平方向において略同一位置に対応するようにしたり、表袋面開封部及び裏袋面開封部の一方の開口端縁を連続する台形状に形成するとともに、表袋面開封部及び裏袋面開封部の他方の開口端縁を台形状の上端と下端との中間において直線状に形成したりする。
【００２０】
本チャック付き収納袋に用いられるチャックは特に限定されるものでなく、従来用いられている各種チャックを用いることが出来る。
【００２１】
次に、本発明のチャック付き収納袋の第一の実施形態を図面を参照して説明する。図１はチャック付き収納袋の表袋面側から見た一部切り欠いた図、図２はチャック付き収納袋の裏袋面側から見た一部切り欠いた図、図３は表袋面の内面の一部切り欠いた図、図４は裏袋面の内面の一部切り欠いた図である。
【００２２】
これらの図において、１はチャック付き収納袋で、このチャック付き収納袋はプラスチックフイルムからなる表袋面１０と裏袋面２０とで一体に形成されており、上端部は開口した開口部３０となっている。開口部３０の下方近傍にはチャック４０及び５０が僅かの間隔を隔てて上下二段に形成されており、このチャック４０、５０は、凸状チャック部材と凹状チャック部材とが異なる色で形成されている。上段のチャック４０の上方における表袋面１０及び裏袋面２０の部位は、それぞれ表袋面開封部１１及び裏袋面開封部２１であり、収納袋１を開封する際、親指及び人差指で把持する部分である。
【００２３】
前記表袋面開封部１１の開口端縁１２は波状に形成されており、すなわち、下に凸の円弧状部１２ａと上に凸の円弧状部１２ｂが連続して形成されている。裏袋面開封部２１の開口端縁２２は直線状に形成されており、その開口端縁２２は、下に凸の円弧状部１２ａの最下端と、上に凸の円弧状部１２ｂの最上端との間に位置するように形成されている。
【００２４】
また、前記表袋面開封部１１の上の凸の円弧状部１２ｂの上部には、複数の突条からなる滑り止め６０が形成されるとともに、前記裏袋面開封部２１の開口端縁２２近傍にも複数の突条からなる滑り止め７０が形成されている。
【００２５】
以上のようなチャック付き収納袋１において開封するには、まず、表袋面開封部１１の上に凸の円弧上部１２ｂに形成された滑り止め６０近傍を把持するとともに、裏袋面開封部２１の開口端縁２２近傍に形成された滑り止め７０近傍を把持する。この時、表袋面開封部１１と裏袋面開封部２１の把持する部位は、両面が露出した状態となっているので、容易に把持することが出来る。すなわち、従来のように、両開封部間に指を入れて開封部間を拡開する作業が不要であるので、極めて簡単に把持することが出来る。そして、両開封部１１、１２を把持した状態で両側に引っ張ることによりチャック４０、５０の嵌合を解除することが出来る。
【００２６】
第二の実施形態を図５を参照して説明する。図５はチャック付き収納袋の表袋面側から見た一部切り欠いた図である。この図に示すチャック付き収納袋１は、表袋面１０が上記第一の実施形態と同様に形成されているが、裏袋面８０が異なる形状に形成されている。この実施形態における裏袋面８０は、裏袋面開封部８１の開口端縁８２が開口端縁１２と同様に波状に形成されており、すなわち、下に凸の円弧状部８２ａと上に凸の円弧状部８２ｂが連続して形成されている。そして、上に凸の円弧状部１２ｂと下の凸の円弧状部８２ａ、及び下に凸の円弧状部１２ａと上に凸の円弧状部８２ｂとが対応するように配置されているので、上に凸の円弧状部１２ｂと上に凸の円弧状部８２ｂはともに両面が露出した状態となっている。その結果、これらを容易に把持し、開封することが出来る。
【００２７】
第三の実施形態を図６を参照して説明する。図６はチャック付き収納袋の表袋面側から見た一部切り欠いた図である。この図に示すチャック付き収納袋１は、第一の実施形態において、表袋面開封部１１の開口端縁１２の形状を変更したものである。すなわち、本実施形態における表袋面９０は、表袋面開封部９１の開口端縁９２が複数の連続する台形状に形成されており、すなわち、下に凸の台形状部９２ａと上に凸の台形状部９２ｂが連続して形成されている。そして、裏袋面開封部２１の開口端縁２２は、下に凸の台形状部９２ａの最下端と、上に凸の台形状部９２ｂの最上端との間に位置するように形成されている。したがって、上に凸の台形状部９２ｂと、下に凸の台形状部９２ａに対応する裏袋面開封部２１とは、両面が露出した状態となっている。その結果、これらを容易に把持し、開封することが出来る。
【符号の説明】
【００２８】
１：チャック付き収納袋１０：表袋面１１：表袋面開封部１２：開口端縁１２ａ：下に凸の円弧状部１２ｂ：上に凸の円弧状部２０：裏袋面２１：裏袋面開封部２２：開口端縁３０：開口部４０：チャック５０：チャック６０：滑り止め７０：滑り止め８０：裏袋面８１：裏袋面開封部８２：開口端縁８２ａ：下に凸の円弧状部８２ｂ：上に凸の円弧状部９０：表袋面９１：表袋面開封部９２：開口端縁９２ａ：下に凸の台形状部９２ｂ：上に凸の台形状部
【図１】
2018083649.tif 000003
【図２】
2018083649.tif 000004
【図３】
2018083649.tif 000005
【図４】
2018083649.tif 000006
【図５】
2018083649.tif 000007
【図６】
2018083649.tif 000008